(57)【要約】【課題】ドアの不正開錠に対する防止手段の改善を図るために、錠のボルトをドアフレーム側のストライクボックスに嵌合させてドアを閉鎖しながら、錠を別途のロッカーで固定することで施錠する錠ロッカーを備えたドアと錠ロッカーを提供する。【解決手段】本発明による錠ロッカーを備えたドアと錠ロッカーは、錠のボルト５をドアフレーム側のストライクボックス４に嵌合して閉鎖する錠を備えたドア１において、ロックピン挿脱機構１２から成りドアの室内側に設けられる錠ロッカー１０と錠のボルト５がストライクボックス４に嵌合している場合に錠ロッカーのロックピン１２で固定されるロック孔１１を設けたボルト５及び錠ロッカー１０のロックピン挿脱機構１２を操作してロックピンを挿脱させる遠隔操作可能な操作装置１３から構成されている。【選択図】  図３
2004257103.tif 000002
【特許請求の範囲】
【請求項１】
錠のボルトをドアフレーム側のストライクボックスに嵌合して閉鎖する錠を備えたドアであって、ロックピン挿脱機構から成りドアの室内側に設けられる錠ロッカー、錠のボルトがストライクボックスに嵌合している場合に該錠ロッカーのロックピンで固定されるロック孔を設けたボルト及び該錠ロッカーのロックピン挿脱機構を操作してロックピンを挿脱させる操作装置から構成される錠ロッカーを備えたドア。
【請求項２】
操作装置が、遠隔操作可能であることを特徴とする請求項１に記載の錠ロッカーを備えたドア。
【請求項３】
ロックピン挿脱機構と該ロックピン挿脱機構を操作してロックピンを挿脱させる操作装置から構成される請求項１又は２に記載の錠ロッカーを備えたドアに用いる錠ロッカー。
【請求項４】
操作装置が、手動もしくは遠隔操作可能であることを特徴とする請求項３に記載の錠ロッカーを備えたドアに用いる錠ロッカー。
【発明の詳細な説明】
【０００１】
【発明の属する技術分野】
本発明は、錠ロッカーを備えたドアと錠ロッカーに関し、特に錠のボルトをドアフレーム側のストライクボックスに嵌合して閉鎖するドアを錠のボルトを固定することで施錠する錠ロッカーを備えたドアと錠ロッカーに関する。
【０００２】
【従来の技術】
近年、玄関等のドアが、合鍵やピッキング工具等を用いる第三者によって不正に開錠される犯罪が急増しており、これを防止するために種々の防犯手段が実用化されている。
【０００３】
ドア用錠の基本構成は、ドア側に装備されたボルトをドアフレーム側に設けられたストライクボックスに嵌合させ、ドアをドアフレームに固定するものであり、一般的な住宅用玄関ドアや非常ドアでは、ボルトとしてラッチボルトとデッドボルトを有している。ラッチボルトは、非施錠時においてドアをドアフレームに保持するためのものであり、ハンドルやドアノブの操作でラッチボルトをストライクボックスから挿脱できることで、ドアを簡単に開閉できることから、屋内扉はラッチボルトだけで構成されているものが多い。一方のデッドボルトは、施錠に用いるものであって屋内側からはサムターンにより、屋外側からはキーによるシリンダーの操作によってデッドボルトをドアフレーム側のストライクボックスに挿脱している。
【０００４】
このために、デッドボルトが外されるとドアを開くことができることから、合鍵が偽造されたり、特殊なピッキング工具でシリンダーを操作することによって、デッドボルトが外されて不正に開錠される怖れが大きかった。
【０００５】
そこで、これらの不正開錠を防止する方法として、以下のような各種の方法が考案されているが、それぞれが固有の問題を有しており、日常的に広く利用するに至っていないのが実情である。
【０００６】
第１の例は、ボルトをドアフレーム側に固定するものであり、ボルトがストライクボックスに嵌合したロック状態にあっては、ストライクボックスとボルト先端を共に貫通する孔を開け、この孔にロックピンを挿入してボルトを固定しているが、従来のストライクボックスの深さでは、このようなロックピンを設置するには不足していることから特別に深いストライクボックスを必要とすると共に、ボルト自体を従来のものより深く嵌合させる必要もあることから、ボルトのストロークが大きい錠を製作する必要がある。
【０００７】
このために、本例は、従来技術との互換性を損なうことから普及が困難であると共に、既設置のドアを改造して設置することができないことや、ドアフレーム側は、壁厚との整合のためとドアを受ける段差を有するためにドアよりはるかに厚みが必要になり、その実施は容易ではないものである。（例えば、特許文献１を参照）
【０００８】
【特許文献１】
実用登録第３０５０４３６号公報（「段落番号」００１１〜「段落番号」００１５、図１、３）
【０００９】
第２の例は、鍵穴自体を塞ぐことでピッキングを防止するものであるが、ドアに埋め込まれる箱錠は、元々幅の制限が厳しいものであると共に、この機構を追加するために構造が複雑になることから実用化が難しい。さらに、この機構が使用されていることが屋外側から容易に分かるために、この機構自体の解除方法が知られた場合に不正開錠防止策としての役割が低下してしまう問題点を抱えている。（例えば、特許文献２を参照）
【００１０】
【特許文献２】
特開２００２−２９５０７６号公報（「段落番号」００１４〜「段落番号」００２０、図１）
【００１１】
この他にも、サムターンの回転を禁止する機構を設けたもので、施錠状態でのサムターンの操作部が水平であることに着目して、この回転を防止するストッパをリモコンで挿脱する機構を追加したものもあるが、既設置のドアにも追設できるという特徴があるものの適用できる錠の種類が限定されており、例えばシリンダー錠には使用できないという限界があったり、従来から一般に採用されているように補助錠を用いて錠を多重にするものでは、日常の施錠や開錠に手間がかかるという問題があると同時に、取り付け構造によっては、補助錠のボルトがドアフレームとの隙間から見えるためにその取り付けが容易に知られてしまう状況にあった。
【００１２】
上記の各例が示すように、従来の防犯手段は総括すると次のような多くの問題点を抱えていることから、その解決が嘱望されていた。
【００１３】
▲１▼  合鍵やピッキング等の鍵穴を使用する不正開錠を防止できない。
▲２▼  従来の錠やストライクボックスの基本的な寸法は変えずに追加機構をシンプルにできない。
▲３▼  追加機構を廉価かつ信頼性の高いものにできない。
▲４▼  錠の種類と無関係に採用できる汎用性がない。
▲５▼  玄関ドアや非常ドアだけに適して屋内ドアに使用できない。
▲６▼  防止手段が講じられていることが屋外側からは認識できる。
▲７▼  新設ドアもしくは既設ドアに容易に追設できない。
【００１４】
【発明が解決しようとする課題】
本発明は、上記の問題点に鑑みて提案するものであり、ドアの不正開錠に対する防止手段の改善を図るために、錠のボルトをドアフレーム側のストライクボックスに嵌合させてドアを閉鎖しながら、錠のボルトを別途に固定することで施錠する錠ロッカーを備えたドアと錠ロッカーを提供している。
【００１５】
【課題を解決するための手段】
本発明による錠ロッカーを備えたドアは、錠のボルトをドアフレーム側のストライクボックスに嵌合して閉鎖する錠を備えたドアにおいて、ロックピン挿脱機構から成りドアの室内側に設けられる錠ロッカーと錠のボルトがストライクボックスに嵌合している場合に錠ロッカーのロックピンで固定されるロック孔を設けたボルト及び錠ロッカーのロックピン挿脱機構を操作してロックピンを挿脱させる手動もしくは遠隔操作可能な操作装置から構成されており、以下の機能を備えた優れた不正開錠防止性能を発揮している。
【００１６】
▲１▼  合鍵やピッキング等の鍵穴を使用する不正開錠を防止できる。
▲２▼  ドアフレーム側は従来と全く同じ構造を使用でき、ドアに追加する機構もシンプルにできる。
▲３▼  追加する機構を廉価かつ高信頼性のものにできる。
▲４▼  錠の種類と無関係に採用できるので汎用性がある。
▲５▼  玄関ドアや非常ドアに限定されず屋内ドアにも使用できる。
▲６▼  防止手段が講じられていることを屋外側から認識できない。
▲７▼    新設ドアや既設ドアに容易に対応できる。
【００１７】
又、本発明による錠ロッカーは、上記の錠ロッカーを備えたドアに用いるものであって、ロックピン挿脱機構とロックピン挿脱機構を操作してロックピンを挿脱させる手動もしくは遠隔操作の可能な操作装置から構成されており、上記機能に加えて、ドアへの取り付けが簡易に出来る機能を発揮している。
【００１８】
【発明の実施の形態】
本発明による錠ロッカーを備えたドアは、錠のボルトをドアフレーム側のストライクボックスに嵌合して閉鎖する錠を備えたドアにおいて、ロックピン挿脱機構から成りドアの室内側に設けられる錠ロッカーと錠のボルトがストライクボックスに嵌合している場合に錠ロッカーのロックピンで固定されるロック孔を設けたボルト及び錠ロッカーのロックピン挿脱機構を操作してロックピンを挿脱させる手動もしくは遠隔操作可能な操作装置から構成されている。
【００１９】
以下に、本発明による錠ロッカーを備えたドアの実施の形態を図面に基づいて詳細に説明する。
【００２０】
図１は、住宅玄関などに用いている本発明による錠ロッカーを備えたドアの外観図であり、ドアが非施錠で開放されている状態を示している。
【００２１】
図において、ドア１は、ドアフレーム２に対してドア側の箱錠３とドアフレーム側のストライクボックス４が取り合うことで保持される一般的な構造であり、箱錠３は、ラッチボルト５とデッドボルト９の２本のボルトを有している。
【００２２】
ラッチボルト５は、非施錠時おいて、ストライクボックス４に嵌合してドアが保持しており、屋内側からの操作では、ハンドル６ａを押し下げることでラッチボルト５がドアに引き込まれ、そのままドアを押すことでドアが開かれる。又、ドアを閉める場合は、ドアを手前に引くことでラッチボルト先端の傾斜部がストライクボックス前縁に当たってラッチボルト５がストライクボックス４に押し込まれ、ストライクボックス内部ではラッチボルト５がバネによって押し出されて嵌合状態を形成している。
【００２３】
一方、施錠時にあっては、屋内側からはサムターン７の回転により、屋外側からはキーによる図示していないシリンダーの回転によって、デッドボルト９がストライクボックス４に挿入されるものであり、これらの嵌合によってドアを施錠かつ保持しており、開錠時に当たっての操作はこの逆である。
【００２４】
しかして、本発明による錠ロッカーを備えたドア１では、以上のような一般的なドア構造において、施錠時にあっては、屋内側からの手操作によってラッチボルト５を錠ロッカー１０によって固定するものであり、これによって、錠の不正開錠を防止している。
【００２５】
即ち、図２の箱錠の側面図が示すように施錠時の状態では、ラッチボルト５とデッドボルト９とがストライクボックス４の中に嵌合されており、ラッチボルト５は、以下に詳述するように関連付けて配置されている錠ロッカー１０によって固定されている。
【００２６】
図３は、ラッチボルトと錠ロッカーとの関連を説明するための部分的に拡大して示す断面図であり、図３（ａ）は、図２の（３）−（３）断面であり、錠ロッカー１０のロック状態を示している。
【００２７】
図示のように、ラッチボルト５のロック孔１１には、錠ロッカー１０のロックピン１２が挿入されており、これによってラッチボルト５は移動を阻止されてストライクボックス４に挿入された状態で固定されることになる。
【００２８】
従って、この状態ではドアの外部からシリンダーを操作しても、デッドボルト９は、ストライクボックス４から外れるとしても、ラッチボルト５は、ロックピン１２によって固定されていることによって、その移動が阻止されていることでストライクボックス４から引き抜くことができないものであり、結果的にドア１を開くことはできないものである。
【００２９】
さらに、以上の構成は、全てにおいてドア１の内側に配置された機構によって達成されているので機構の設置を窺うことも出来ないと同時に、ドア１の外側からは、如何なる手段を講じてもこれらの機構に到達することが不可能であるから、合鍵やピッキング等を一切拒否してこれらによる不正開錠を防止している。
【００３０】
図３（ｂ）は、錠ロッカー１０を詳細に説明するための断面図であり、ラッチボルト５を施錠状態にするためには、錠ロッカー１０のつまみ１３をバネ１４に抗して圧縮しながら押し込んでおり、つまみ１３を押し込みながら回動させることによって、ケース１６に付属する座１７にロックピン１２の途中に設けたストッパ１５をバネ１４によって挟み込むことで、ロックピン１２はラッチボルト５のロック孔１１に保持されるものであり、ラッチボルト５をストライクボックス４に挿入した状態で固定させることができる。
【００３１】
図３（ｃ）は、図３（ｂ）の（ｃ）−（ｃ）断面であり、座１７とストッパ１５との結合状態を示している。座１７はつめ１８を有しており、ストッパ１５をこのつめ１８間に納めるようにバネ１４で押圧することによって、外部からの強い振動等が加えられた際にストッパ１５が座１７から外れることを防止している。
【００３２】
図４は、図３と同様にラッチボルトと錠ロッカーとの関連を説明するための部分拡大図であるが、図４（ａ）は、図２の（４）−（４）断面であり、錠ロッカー１０のアンロック状態を示している。
【００３３】
本操作では、先ずロックピン１２のつまみ１３を押す込むものであり、これでストッパ１５は座１７のつめ１８より奥に押し出されるので、そのままの状態で反時計回りにつまみ１３を回すことでストッパ１５を座１７から外すことができる。次いで、つまみ１３を押している力を緩めると、バネ１４によりストッパ１５を介してロックピン１２が押し戻され、ロックピン１２はラッチボルト５のロック孔１１から外れることになる。
【００３４】
この状態では、サムターン７を回転させてデッドボルト９をストライクボックス４から外すことで、ハンドル６ｂによりドア１を開けることができる。
【００３５】
従って、外出から戻った利用者は、屋内に入ってからドア１を引いて閉めながらサムターン７を回して施錠するものであり、次いで錠ロッカー１０のつまみ１３を深く押し込んで時計回りに約９０度回して手を離すことで、ラッチボルト５は移動を阻止されることになり、ストライクボックス４に挿入された状態で固定される施錠状態を形成することになる。
【００３６】
一方、利用者が外出する場合には、錠ロッカー１０のつまみ１３を押し込んでから反時計回りに約９０度回して手を離すことによってラッチボルト５のロック孔１１からロックピン１２を脱してラッチボルト５の移動が自由に出来る状態にする。次にサムターン７を回して開錠し、ドアハンドル６ｂを押し下げつつドア１を押して、ドア１を開けるものであり、以上のような簡単な操作で、日常生活での負担を感じることなく錠ロッカー１０を利用できるものである。
【００３７】
又、以上の説明で明らかなように、錠ロッカー１０の取り付けは、玄関などの錠に使用できるのみならず、例えば屋内扉に使用することもできる。
【００３８】
即ち、屋内扉は、一般的にラッチボルトのみを有する施錠機能のない屋内錠を使用することが多いが、本発明による錠ロッカーをラッチボルトに取り付ければ、室内から容易に施錠できるようになり、部屋のプライバシーを保護できることになる。
【００３９】
尚、本実施の形態では、屋内扉にも使用できることを理解できるように、ラッチボルト５に対して錠ロッカー１０を装着する構造としたが、同じ構造の錠ロッカー１０は、デッドボルト９に対して装着することも全く同様に可能であることは明らかである。さらに、２本ボルトのドアの場合には、両方のボルトのそれぞれに錠ロッカー１０を設ける二重化構造が可能なことも明らかであるから、防犯性能の高いドアを得ることができる。
【００４０】
次に、本発明による錠ロッカーについて説明する。
本発明による錠ロッカーは、上記の錠ロッカーを備えたドアに用いるものであり、ロックピン挿脱機構とロックピン挿脱機構を操作してロックピンを挿脱させる手動もしくは遠隔操作の可能な操作装置から構成されている。
【００４１】
以下に、本発明による錠ロッカーの実施の形態を図面に基づいて詳細に説明するが、図５に示す実施の形態は、リモコン操作することができる錠ロッカーである。
【００４２】
図５（ａ）はリモコン操作できる錠ロッカーの斜視図であり、リモコン操作用錠ロッカー２０のケース２１には、手操作の場合と同様に中央部につまみ１３を有するロックピン１２が配置されており、そのロック、アンロックのための内部構造は、上記図３、４の実施の形態で説明したものと殆ど同様である。又、本実施の形態ではケース２１の外部にはリモコンとの信号を授受するアンテナ２２を装備していると共に、リモコン操作用錠ロッカー２０をドアに取り付けるための留めネジ２３も備えられている。
【００４３】
尚、つまみ１３に設けられた表示切欠き１３ａは、ロックピン１２のロック、アンロック状態を示すための構成であり、表示切欠き１３ａが図示のように下を向いている場合は、アンロック状態を表示している。
【００４４】
次の図５（ｂ）には、ケース２１の内容を機能ブロック図として示したものであるが、この動作を以下に利用者の操作や信号の流れに沿って説明する。
【００４５】
利用者が外出する時には、屋外に出てドア１を閉めてからキーを用いてシリンダー８を操作して、デッドボルト９をストライクボックス４に固定することで施錠する。次いで、リモコンを用いてロックピン挿入指令のボタンを操作すると、この信号をアンテナ２２が受けて通信部２１ａに伝える。通信部２１ａでは、この信号を処理して受信コードに変換して操作部２１ｂに伝えている。
【００４６】
本実施の形態では、本受信コードをリモコンのＩＤ（認証）番号と操作指令から構成しており、操作部２１ｂでは、リモコンのＩＤが本手動もしくは遠隔操作用錠ロッカー２０との正しい組合せのリモコンのものか否かを判定する。この判定結果が正しい場合に操作部２１ｂは、アクチュエータ２１ｃにロックピンの状態を問い合わせて、「アンロック」の状態信号を得ると、通信部２１ａとアンテナ２２を経由させてリモコンに「錠ロッカーの状態＝アンロック、受信指令内容＝ロック」を送信してリモコンに「錠ロッカー装着中」を表示すると同時に、操作部２１ｂは、アクチュエータ２１ｃに操作電流を供給し、ロックピン１２がラッチボルト５に挿入される。
【００４７】
この状態に至ると、操作部２１ｂは、ロックピンの状態が「ロック状態」になったことをアクチュエータ２１ｃからの状態信号で確認して「錠ロッカーの状態＝ロック、受信指令内容＝ロック」を送信コードに変換し、通信部２１ａとアンテナ２２を経由させてリモコンに送信するものであり、リモコンには、「錠ロッカー装着完了」が表示されるので、利用者は、これを確認しながらリモコンを持って出かけることになる。
【００４８】
又、利用者が帰宅した時には、リモコンを用いてロックピン解除指令のボタンを操作すると、ロックピン解除指令の信号がアンテナ２２の受信を経て通信部２１ａに伝えられる。通信部２１ａは、この信号を処理して受信コードに変換して、これを操作部２１ｂに伝えるが、操作部２１ｂでは、リモコンのＩＤが本リモコン操作用錠ロッカー２０との正しい組合せのリモコンであるか否かを判定する。
【００４９】
この判定結果が正しい場合には、操作部２１ｂがアクチュエータ２１ｃにロックピンの状態を問い合わせ、「ロック状態」を確認すると「錠ロッカーの状態＝ロック、受信指令内容＝アンロック」の信号をリモコンに送信し、リモコンには「錠ロッカー解除中」を表示すると共に、操作部２１ｂは、アクチュエータ２１ｃに操作電流を供給してロックピン１２をラッチボルト５から引き抜く。
【００５０】
次いで、操作部２１ｂは、アクチュエータ２１ｃからロックピンの状態が「アンロック状態」になったことを確認して、「錠ロッカーの状態＝アンロック、受信指令内容＝アンロック」を送信コードに変換してリモコンに送信しており、リモコンには、「錠ロッッカー解除」を表示する。
【００５１】
利用者は、これを確認した後にキーを用いてシリンダー８を操作して、デッドボルト９をストライクボックス４から外し、しかる後にドアハンドル６ａを押し下げつつドア１を引いてドアを開けることになる。
【００５２】
以上のように、本発明による錠ロッカーは、利用者は非常に簡単な操作の下に日常生活上の負担を感じることなく利用できるものである。
【００５３】
尚、リモコン操作用錠ロッカー２０は、ケース２１に電源部２１ｄと電池２１ｅを内蔵しており、電源部２１ｄは各機能部に電源を供給しているが、この電源は、タイマー設定しておくことで自動的に切るようにしている。
【００５４】
図６は、本実施の形態のリモコン操作用錠ロッカー２０を既設ドア１に取り付ける場合を説明するものであり、箱錠３の正面図である。
【００５５】
リモコン操作用錠ロッカー２０を既設ドア１に取り付けるには、ラッチボルト５と箱錠３の側面に、ロックピン１２を挿入するためのロック孔１１、１１ａを開孔すると共に、ドア１の屋内側側面にロック孔１１ｂを開孔するが、これらの施工は、先ず、ラッチボルト５がストライクボックス４に嵌合される状態で共孔加工し、次いで、ドア面のロック孔１１ｂにリモコン操作用錠ロッカー２０から突き出たロックピンガイド２４を挿し込みながら、ケース２１の上下に設けた留めネジ２３によりドアにネジ止めする。
【００５６】
従って、本発明による錠ロッカーは、極めて簡単な加工でドアに取り付けることができるものであり、手操作の錠ロッカーとリモコン操作用錠ロッカーとは、部品の共通性が高いことからより高い量産効果によって廉価な製品が得られると共に、既設ドアに取り付ける方法も上記実施形態の手操の作錠ロッカーと同様に工事の負担が小さいという効果も期待できる。
【００５７】
以上、本発明を実施の形態に基づいて詳細に説明してきたが、本発明による錠ロッカーを備えたドアと錠ロッカーは、上記実施の形態に何ら限定されるものでなく、錠の種類、錠ロッカーの具体的な構造やリモコンの具体的な方式等に関して、本発明の趣旨を逸脱しない範囲において種々の変更が可能であることは当然のことである。
【００５８】
【発明の効果】
本発明による錠ロッカーを備えたドアは、錠のボルトをドアフレーム側のストライクボックスに嵌合して閉鎖する錠を備えたドアにおいて、ロックピン挿脱機構から成りドアの室内側に設けられる錠ロッカーと錠のボルトがストライクボックスに嵌合している場合に錠ロッカーのロックピンで固定されるロック孔を設けたボルト及び錠ロッカーのロックピン挿脱機構を操作してロックピンを挿脱させる手動もしくは遠隔操作可能な操作装置から構成されているので、以下の優位性を備えた不正開錠防止効果を発揮している。
【００５９】
▲１▼  合鍵やピッキング等の鍵穴を使用する不正開錠を防止できる。
▲２▼  ドアフレーム側は従来と全く同じ構造を使用でき、ドアに追加する機構もシンプルにできる。
▲３▼  追加する機構を廉価かつ高信頼性のものにできる。
▲４▼  錠の種類と無関係に採用できるので汎用性がある。
▲５▼  玄関ドアや非常ドアに限定されず屋内ドアにも使用できる。
▲６▼  防止手段が講じられていることを屋外側から認識できない。
▲７▼    新設ドアや既設ドアに容易に対応できる。
【００６０】
又、本発明による錠ロッカーは、上記の錠ロッカーを備えたドアに用いるものであって、ロックピン挿脱機構とロックピン挿脱機構を操作してロックピンを挿脱させる手動もしくは遠隔操作の可能な操作装置から構成されているので、上記効果に加えて、ドアへの取り付けが簡易に出来る機能を発揮している。
【図面の簡単な説明】
【図１】本発明による錠ロッカーを備えたドアの概要斜視図。
【図２】本発明による錠ロッカーを備えたドアの箱錠を示す側面図。
【図３】本発明による錠ロッカーを備えたドアのロック状態を示す箱錠の断面図。
【図４】本発明による錠ロッカーを備えたドアのアンロック状態を示す箱錠の断面図。
【図５】本発明による錠ロッカーの斜視図。
【図６】本発明による錠ロッカーの取り付け状態を示す箱錠の正面図。
【符号の説明】
１  ドア、  ２  ドアフレーム、  ３  箱錠、  ４  ストライクボックス、
５  ラッチボルト、  ６  ハンドル、  ７  サムターン、  ８  シリンダ錠、
９  デッドボルト、  １０  錠ロッカー、  １１  ラッチボルトのロック孔、
１１ａ  箱錠ケースのロック孔、  １１ｂ    ドア屋内面のロック孔、
１２  ロックピン、  １３  つまみ、  １３ａ  表示切欠き、
１４  留めバネ、  １５  ストッパー、  １６  ケース、  １７  座、
１８  つめ、  ２０  リモコン式錠ロッカー、  ２１  ケース、
２１ａ  通信部、  ２１ｂ  操作部、  ２１ｃ  アクチュエータ、
２１ｄ  電源部、  ２１ｅ  電池、  ２２  アンテナ、  ２３  留めネジ、
２４  ロックピンガイド、
【図１】
2004257103.tif 000003
【図２】
2004257103.tif 000004
【図３】
2004257103.tif 000005
【図４】
2004257103.tif 000006
【図５】
2004257103.tif 000007
【図６】
2004257103.tif 000008